(57)【要約】【課題】コストの増大及び装置の大型化を抑制しつつ、消費電力を低減することができる無線通信装置を提供する。【解決手段】通信モードにおいて、スイッチング素子４１をオン、スイッチング素子４２をオフさせることによりアンテナ２で受信された信号を、ＬＮＡ３により増幅させ、ミキサ６及びバンドパスフィルタ７により予め設定された周波数帯を通過させると共に復調部によって復調させ、信号レベル測定モードにおいてスイッチング素子４１をオフ、スイッチング素子４２をオンさせることによりアンテナ２で受信された信号について、ＬＮＡ２を用いることなく信号レベル測定部１０によって信号レベルを測定させると共に、スイッチング素子ＳＷ１をオフさせて電池１１からＬＮＡ３への電力供給を停止させる切替制御部１６とを備えた。【選択図】図１
2007201902.tif 000002
【特許請求の範囲】
【請求項１】
無線信号を受信し復調する通信モードと、無線信号を受信し当該無線信号の信号レベルを測定する信号レベル測定モードとを有する無線通信装置であって、
無線信号を受信するアンテナと、
信号を増幅する増幅部と、
前記アンテナで受信された信号を、前記増幅部を用いて増幅すると共に当該信号から予め設定された周波数帯を通過させる第１の受信経路と、
前記増幅部を用いることなく前記アンテナで受信された信号から予め設定された周波数帯を通過させる第２の受信経路と、
信号を復調する復調部と、
信号の信号レベルを測定する信号レベル測定部と、
前記増幅部へ動作用の電力を供給する電源部と、
前記通信モードにおいて、前記復調部によって前記第１の受信経路を通過する信号を復調させ、前記信号レベル測定モードにおいて、前記信号レベル測定部によって前記第２の受信経路を通過する信号の信号レベルを測定させると共に前記電源部による前記増幅部への電力供給を停止させる切替制御部と
を備えることを特徴とする無線通信装置。
【請求項２】
前記電源部は、電池であることを特徴とする請求項１記載の無線通信装置。
【請求項３】
前記無線信号は、複数の基地局から送信されるものであり、
前記信号レベル測定モードにおいて、前記信号レベル測定部によって測定された信号レベルに基づいて、前記複数の基地局のうちから通信相手先の基地局を選択する基地局選択部をさらに備えること
を特徴とする請求項１又は２記載の無線通信装置。
【請求項４】
前記基地局選択部は、とまり木チャンネルサーチを行うことによって、前記基地局の選択を行うこと
を特徴とする請求項３記載の無線通信装置。
【請求項５】
前記基地局選択部は、周辺ゾーン監視を行うことによって、前記基地局の選択を行うこと
を特徴とする請求項３記載の無線通信装置。
【請求項６】
前記基地局選択部は、ＭＡＨＯを行うことによって、前記基地局の選択を行うこと
を特徴とする請求項３記載の無線通信装置。
【請求項７】
前記無線信号は、携帯電話端末装置に用いられるＰＤＣ方式の信号であること
を特徴とする請求項１〜６のいずれかに記載の無線通信装置。
【発明の詳細な説明】
【技術分野】
【０００１】
本発明は、無線信号を受信し復調する通信モードと、無線信号を受信し当該無線信号の信号レベルを測定する信号レベル測定モードとを有する無線通信装置に関する。
【背景技術】
【０００２】
従来、無線通信装置では、受信信号の復調回路と、受信信号の信号レベルを測定する信号レベル測定回路とを備えているものがある。信号レベル測定回路は、例えば受信信号レベルに応じて信号の増幅率を調節したり、複数の基地局の中から受信信号レベルが最も高い基地局を選択したりするために用いられている。このような、復調回路や信号レベル測定回路には、アンテナで受信された信号が、増幅器で増幅されフィルタ回路で濾波された後、供給されるようになっており、増幅器やフィルタ回路は、信号の復調と信号レベルの測定とで、共通して用いられている。
【０００３】
また、このような無線通信装置の受信回路において、初段に配設される回路のＮＦ（Ｎｏｉｓｅ  Ｆｉｇｕｒｅ）が受信性能を決める大きな要因となる。受信性能を向上させるためには、初段に配設される回路にＮＦの小さな増幅器を用いる必要があり、この増幅器は希望周波数に同調されて妨害波を相対的に減衰させる機能も担う必要がある。このような条件を満たすため、受信回路の初段に用いられる増幅器として、ＬＮＡ（Ｌｏｗ  Ｎｏｉｓｅ  Ａｍｐ）が用いられている。そして、このような無線通信装置、例えば携帯電話端末装置において、待ち受け時や通話時には、復調した受信信号に含まれる受信データを解析する必要があるので、信号から情報を取得できる程度に、ＬＮＡによって信号増幅が行われている。
【０００４】
また、このような無線通信装置の受信回路に用いられる増幅器として、利得の異なる増幅器を複数備え、必要な利得に応じて増幅器を選択する方式が知られている（例えば、特許文献１参照。）。
【特許文献１】特表２０００−５０２８６４号公報
【発明の開示】
【発明が解決しようとする課題】
【０００５】
ところで、上述のような復調回路と、信号レベル測定回路とを備えた携帯電話端末装置等の無線通信装置において、信号レベル測定回路により測定された受信信号レベルに基づいて、例えば信号の増幅率を調節したり、複数の基地局の中から受信信号レベルが最も高い基地局を探したりする場合には、受信信号の信号レベルを測定することができればよく、信号を復調する場合ほど信号増幅を行う必要はない。しかし、ＬＮＡは、復調回路及び信号レベル測定回路の上流に設けられ、信号の復調と信号レベルの測定とで共通して用いられているので、受信信号の信号レベルを測定する際にも、ＬＮＡを動作させることになる結果、消費電力が増大するという不都合があった。特に、携帯電話端末装置として用いられる無線通信装置では、電源に電池を用いているため、消費電力の増大は大きな問題となる。
【０００６】
また、利得の異なる受信増幅器を複数備える方式では、複数の増幅器を備えるためコストが増大すると共に、増幅器を複数個、無線受信機の回路基板に取り付ける必要があるので、回路基板が大型化し、無線通信装置を小型化することが困難になるという不都合があった。特に、携帯電話端末装置の場合には、市場からの小型化要求が強いため、装置の小型化の困難性が増すことは、大きな問題となる。
【０００７】
本発明は、このような問題に鑑みて為された発明であり、コストの増大及び装置の大型化を抑制しつつ、消費電力を低減することができる無線通信装置を提供することを目的とする。
【課題を解決するための手段】
【０００８】
上述の目的を達成するために、本発明の第１の手段に係る無線通信装置は、無線信号を受信し復調する通信モードと、無線信号を受信し当該無線信号の信号レベルを測定する信号レベル測定モードとを有する無線通信装置であって、無線信号を受信するアンテナと、信号を増幅する増幅部と、前記アンテナで受信された信号を、前記増幅部を用いて増幅すると共に当該信号から予め設定された周波数帯を通過させる第１の受信経路と、前記増幅部を用いることなく前記アンテナで受信された信号から予め設定された周波数帯を通過させる第２の受信経路と、信号を復調する復調部と、信号の信号レベルを測定する信号レベル測定部と、前記増幅部へ動作用の電力を供給する電源部と、前記通信モードにおいて、前記復調部によって前記第１の受信経路を通過する信号を復調させ、前記信号レベル測定モードにおいて、前記信号レベル測定部によって前記第２の受信経路を通過する信号の信号レベルを測定させると共に前記電源部による前記増幅部への電力供給を停止させる切替制御部としている。
【０００９】
また、上述の無線通信装置において、前記電源部は、電池であることを特徴としている。
【００１０】
また、上述の無線通信装置において、前記無線信号は、複数の基地局から送信されるものであり、前記信号レベル測定モードにおいて、前記信号レベル測定部によって測定された信号レベルに基づいて、前記複数の基地局のうちから通信相手先の基地局を選択する基地局選択部をさらに備えることを特徴としている。
【００１１】
また、上述の無線通信装置において、前記基地局選択部は、とまり木チャンネルサーチを行うことによって、前記基地局の選択を行うことを特徴としている。
【００１２】
また、上述の無線通信装置において、前記基地局選択部は、周辺ゾーン監視を行うことによって、前記基地局の選択を行うことを特徴としている。
【００１３】
また、上述の無線通信装置において、前記基地局選択部は、ＭＡＨＯを行うことによって、前記基地局の選択を行うことを特徴としている。
【００１４】
また、上述の無線通信装置において、前記無線信号は、携帯電話端末装置に用いられるＰＤＣ方式の信号であることを特徴としている。すなわち、上述の無線通信装置は、ＰＤＣ方式の携帯電話端末装置である。
【発明の効果】
【００１５】
このような構成の無線通信装置は、無線信号を受信し復調する通信モードにおいては、アンテナにより受信された無線信号が増幅部により増幅されると共に当該信号から予め設定された周波数帯が通過されて復調部で復調されるので、通信品質を確保しつつ通信を行うことができる。一方、無線信号を受信し当該無線信号の信号レベルを測定する信号レベル測定モードにおいては、アンテナにより受信された無線信号が増幅部を用いることなくアンテナで受信された信号から予め設定された周波数帯が通過され、当該通過された信号の信号レベルが信号レベル測定部によって測定されると共に、信号レベル測定モードにおいて使用されない増幅部への電源部からの電力供給が停止されるので、信号レベル測定モードにおける消費電力を低減することができる。また、アンテナにより受信された無線信号を増幅する増幅部を複数備える必要がないので、増幅部を複数備えることにより、コストが増大したり、無線通信装置が大型化したりすることを抑制することができる。
【発明を実施するための最良の形態】
【００１６】
以下、本発明に係る実施形態を図面に基づいて説明する。なお、各図において同一の符号を付した構成は、同一の構成であることを示し、その説明を省略する。
【００１７】
図１は、本発明の一実施形態に係る無線通信装置の構成の一例を示すブロック図である。図１に示す無線通信装置１は、例えばＰＤＣ（Personal Digital Cellular）方式の無線信号を受信する携帯電話端末装置であり、アンテナ２、ＬＮＡ３（増幅部）、経路切替部４、ローカル発振器５、ミキサ６、バンドパスフィルタ（ＢＰＦ）７、リミッタアンプ８、復調部９、信号レベル測定部１０、電池１１、及び制御部１２を備えている。
【００１８】
アンテナ２は、無線信号を送信する無線送信装置、例えばＰＤＣ方式の無線基地局から送信された無線信号を受信して、ＬＮＡ３及び経路切替部４へ出力する。ＬＮＡ３は、アンテナ２で受信された信号を増幅して経路切替部４へ出力する。
【００１９】
経路切替部４は、制御部１２から出力された制御信号に応じて、ＬＮＡ３の出力信号とアンテナ２で受信された信号とのうちいずれか一方を選択してミキサ６へ出力する。経路切替部４は、例えば、ＬＮＡ３とミキサ６との間に設けられたスイッチング素子４１と、アンテナ２とミキサ６との間に設けられたスイッチング素子４２とを用いて構成されている。スイッチング素子４１，４２としては、例えばＭＯＳ（Metal Oxide Semiconductor）トランジスタやアナログスイッチ等の半導体スイッチや、リレースイッチを用いることができる。
【００２０】
ローカル発振器５は、チャネル選択用の周波数信号を生成し、ミキサ６へ出力する。ミキサ６は、経路切替部４から出力された信号と、ローカル発振器５から出力された信号とを混合し、バンドパスフィルタ７へ出力する。バンドパスフィルタ７は、ミキサ６の出力信号から、不要な周波数成分を除去し、予め設定された周波数帯の信号を、リミッタアンプ８及び信号レベル測定部１０へ通過させる。
【００２１】
リミッタアンプ８は、バンドパスフィルタ７を通過した信号を、増幅して復調部９へ出力する。復調部９は、リミッタアンプ８で増幅された信号から、受信データを復調し、制御部１２へ出力する。
【００２２】
信号レベル測定部１０は、いわゆるＲＳＳＩ（Received Signal Strength Indicator）回路で、バンドパスフィルタ７を通過した信号の信号レベルを測定し、その測定値を示す信号を、制御部１２へ出力する。
【００２３】
電池１１は、無線通信装置１の各部に動作用の電力を供給する電源部で、電池１１からＬＮＡ３へは、例えばトランジスタやアナログスイッチ等の半導体スイッチや、リレースイッチを用いて構成されたスイッチング素子ＳＷ１を介して電力が供給されている。
【００２４】
制御部１２は、例えば所定の演算処理を実行するＣＰＵ（Central Processing Unit）と、所定の制御プログラムが記憶されたＲＯＭ（Read Only Memory）と、データを一時的に記憶するＲＡＭ（Random Access Memory）と、これらの周辺回路等とを備えて構成され、ＲＯＭに記憶された制御プログラムを実行することにより、通信処理部１３、モード切替部１４、基地局選択部１５、及び切替制御部１６として機能する。
【００２５】
通信処理部１３は、例えばＰＤＣ方式の無線通信処理を行う通信処理部で、復調部９で復調された信号を受信することにより基地局からの制御信号を取得したり、図略の送信回路により基地局へ制御信号を送信したりすることにより、ＰＤＣ方式の通信プロトコルに基づき基地局との通信動作を制御する。また、通信処理部１３は、復調部９で復調された音声データに基づいて、図略のスピーカから音声を出力させたり、図略のマイクにより取得された音声信号に基づいて、図略の送信回路により、音声を表す信号を送信したりするいわゆる音声通話機能を実現する。
【００２６】
モード切替部１４は、例えば図略の操作スイッチにより受け付けられた操作指示に応じて、例えば通信処理部１３により通話時や待ち受け時に無線信号を受信し復調して音声データや制御信号などを取得する通信モードと、例えば受信信号の増幅率を調節したり、複数の基地局の中から受信信号レベルが最も高い基地局を探したりするために、無線信号を受信し当該無線信号の信号レベルを測定する信号レベル測定モードとの切り替えを行う制御部である。
【００２７】
基地局選択部１５は、信号レベル測定モードにおいて、信号レベル測定部によって測定された信号レベルに基づいて、複数の基地局のうちから通信相手先の基地局を選択する。
【００２８】
切替制御部１６は、通信モードにおいては、スイッチング素子４１をオンさせ、スイッチング素子４２をオフさせることによって、経路切替部４によりＬＮＡ３の出力信号を選択させてミキサ６へ出力させる。この場合、通信モードにおいて、経路切替部４によりＬＮＡ３の出力信号がミキサ６へ出力される信号経路、すなわちアンテナ２で受信された信号が、ＬＮＡ３を用いて増幅されると共に当該信号からミキサ６及びバンドパスフィルタ７によって、予め設定された周波数帯に濾波される信号経路が、第１の受信経路の一例に相当している。なお、第１の受信経路には、信号を増幅する増幅部と予め設定された周波数帯を通過させるフィルタ回路とが含まれていればよく、増幅部とフィルタ回路との位置関係は問わない。
【００２９】
また、切替制御部１６は、信号レベル測定モードにおいて、スイッチング素子４１をオフさせ、スイッチング素子４２をオンさせることによって、経路切替部４によりアンテナ２で受信された信号を選択させてミキサ６へ出力させる。この場合、信号レベル測定モードにおいて、経路切替部４によりアンテナ２で受信された信号がミキサ６へ出力される信号経路、すなわち、ＬＮＡ３を用いることなく当該信号が、ミキサ６及びバンドパスフィルタ７によって予め設定された周波数帯に濾波される信号経路が、第２の受信経路の一例に相当している。
【００３０】
さらに、切替制御部１６は、信号レベル測定モードにおいて、スイッチング素子ＳＷ１をオフさせて、電池１１によるＬＮＡ３への電力供給を停止させる。
【００３１】
次に、上述のように構成された無線通信装置１の動作について説明する。図２は、無線通信装置１の周辺に存在する複数の基地局Ａ〜Ｆと、無線通信装置１とを示している。基地局Ａ〜Ｆと、無線通信装置１とは、無線通信可能に構成されている。また、基地局Ａ〜Ｆは、それぞれ、無線通信装置１に、当該基地局のエリア内にいることを通知するために用いられる制御用のチャネル、いわゆるとまり木チャネルとして無線信号を送信している。さらに、基地局Ａ〜Ｆと、無線通信装置１との距離や信号の受信状態は、基地局毎に異なるため、無線通信装置１は、基地局Ａ〜Ｆの中からとまり木チャネルの受信信号レベルの高い基地局を、通信相手先として選択するようになっている。
【００３２】
まず、例えば図略の電源スイッチが操作されて、無線通信装置１が電源オンされた場合や、例えば基地局Ａ〜Ｆの送信電波が届かない通信圏外から基地局Ａ〜Ｆの送信電波を受信することができる通信圏内になった場合等において、通信動作を開始する際に、モード切替部１４によって、基地局選択部１５により通信相手先の基地局を選択させるべく、信号レベル測定モードに設定される。
【００３３】
そして、動作モードが信号レベル測定モードに設定されると、切替制御部１６によって、スイッチング素子４１がオフされ、スイッチング素子４２がオンされて第２の受信経路が選択され、アンテナ２で受信された信号がミキサ６によりローカル発振器５から出力された信号と混合されてバンドパスフィルタ７へ出力される。そして、バンドパスフィルタ７によって、ミキサ６の出力信号から不要な周波数成分が除去され、信号レベル測定部１０へ出力される。さらに、切替制御部１６によって、スイッチング素子ＳＷ１がオフされ、電池１１によるＬＮＡ３への電力供給が停止される。
【００３４】
次に、信号レベル測定部１０によって、バンドパスフィルタ７を通過した信号の信号レベルが測定され、その測定値を示す信号に基づいて、基地局Ａ〜Ｆのうちから通信相手先の基地局が選択される。この場合、ＰＤＣ方式の端末装置では、電源オン時や圏外から圏内になった時に、図２で示すように周辺の多くの基地局の内、どの基地局と通信を行うかを決定するために、とまり木チャネルの受信信号レベルの高い基地局を、通信相手先として選択するいわゆるとまり木チャネルサーチを行う。このとまり木チャネルサーチでは、無線通信装置１と通信可能な基地局が複数存在する中で、どの基地局を選択するのかを決定するだけであり、複数のとまり木チャネル、すなわち基地局Ａ〜Ｆから送信された無線信号のうち、信号レベル測定部１０により測定された信号レベルの測定値が最大となる無線局が、通信相手先として選択される。
【００３５】
したがって、とまり木チャネルサーチでは、レベル監視が目的で、無線通信は行わないので、信号レベル測定部１０によって基地局からの受信電波レベルが最も高い局を判定できればよく、通信品質に多少の劣化があっても、サーチに支障をきたすことはない。
【００３６】
これにより、とまり木チャネルサーチを実行する際には、電池１１によるＬＮＡ３への電力供給が停止されるので、消費電力を低減することができる。また、とまり木チャネルサーチを実行する際には、増幅器を用いないので、ＬＮＡ３を複数備える必要が無く、ＬＮＡ３を複数備えるためにコストが増大したり、無線通信装置１が大型化したりすることを抑制することができる。
【００３７】
一方、とまり木チャネルサーチ後、選択された基地局との間で通信を行う場合には、通常の通信品質が必要となるので、モード切替部１４によって、通信モードに設定される。そうすると、切替制御部１６によって、スイッチング素子ＳＷ１がオンされ、電池１１によりＬＮＡ３へ動作用電力が供給される。さらに、切替制御部１６によって、スイッチング素子４１がオンされ、スイッチング素子４２がオフされて第１の受信経路が選択され、アンテナ２で受信された信号がＬＮＡ３により増幅された後、ミキサ６によりローカル発振器５から出力された信号と混合されてバンドパスフィルタ７へ出力される。
【００３８】
そして、ミキサ６の出力信号から、バンドパスフィルタ７により不要な周波数成分が除去され、リミッタアンプ８により増幅され、復調部９へ出力されて、復調部９で復調されたデータが通信処理部１３へ出力される。そして、通信処理部１３によって、復調部９で復調された音声データに基づいて、図略のスピーカから音声が出力され、音声通話が行われたり、復調部９で復調された制御信号に基づいて、基地局との通信動作が制御されたりする。
【００３９】
また、通信処理部１３は、音声通話を実行していない場合であっても、着信の待ち受け処理を行っている。この待ち受け処理中において、ＰＤＣ方式の端末装置では、例えば基地局Ａに待受けている際にも、自機の移動や電波環境が悪化した場合に待受け基地局を他の基地局に移動できるように、定期的に、周辺ゾーン監視を行っている。この周辺ゾーン監視では、周辺基地局から発射される複数のとまり木チャネルから、受信レベルが最大となるとまり木チャネルを常時監視している。
【００４０】
したがって、周辺ゾーン監視でも、レベル監視が目的で、無線通信は行わないので、信号レベル測定部１０によって基地局からの受信電波レベルが最も高い局を判定できればよく、通信品質に多少の劣化があっても、監視に支障をきたすことはない。
【００４１】
そこで、待ち受け処理を行う場合においても、定期的に、周辺ゾーン監視を行うべく、モード切替部１４によって信号レベル測定モードに設定される。そして、動作モードが信号レベル測定モードに設定されると、切替制御部１６によって、スイッチング素子４１がオフされ、スイッチング素子４２がオンされて第２の受信経路が選択され、アンテナ２で受信された信号がミキサ６によりローカル発振器５から出力された信号と混合されてバンドパスフィルタ７へ出力される。そして、バンドパスフィルタ７によって、ミキサ６の出力信号から不要な周波数成分が除去され、信号レベル測定部１０へ出力される。さらに、切替制御部１６によって、スイッチング素子ＳＷ１がオフされ、電池１１によるＬＮＡ３への電力供給が停止される。
【００４２】
次に、信号レベル測定部１０によって、バンドパスフィルタ７を通過した信号の信号レベルが測定され、その測定値を示す信号に基づいて、受信レベルが最大となるとまり木チャネルの基地局が、通信相手先として選択される。
【００４３】
これにより、周辺ゾーン監視を実行する際には、電池１１によるＬＮＡ３への電力供給が停止されるので、消費電力を低減することができる。また、周辺ゾーン監視を実行する際には、増幅器を用いないので、ＬＮＡ３を複数備える必要が無く、ＬＮＡ３を複数備えるためにコストが増大したり、無線通信装置１が大型化したりすることを抑制することができる。
【００４４】
また、基地局選択部１５は、通信処理部１３が基地局との間で通信状態にある際に、自機の移動や電波環境が悪化すると、通信相手先の基地局を他の基地局に移動できるように、ＭＡＨＯ（Mobile Assisted Hand Over）動作を行っている。このＭＡＨＯ動作では、例えば通信相手先の基地局Ａとの通信を保持したまま、周辺基地局から送信される複数のとまり木チャネルから、受信レベルが最大となるとまり木チャネルを常時監視している。したがって、ＭＡＨＯ動作でも、レベル監視が目的で、無線通信は行わないので、信号レベル測定部１０によって基地局からの受信電波レベルが最も高い局を判定できればよく、通信品質に多少の劣化があっても、ハンドオーバー性能に支障をきたすことはない。
【００４５】
そこで、通信処理部１３が基地局との間で通信状態にある際に、例えば自機の移動によって電波環境が悪化すると、モード切替部１４によって、ＭＡＨＯを実行するべく信号レベル測定モードに設定される。そして、動作モードが信号レベル測定モードに設定されると、切替制御部１６によって、スイッチング素子４１がオフされ、スイッチング素子４２がオンされて第２の受信経路が選択され、アンテナ２で受信された信号がミキサ６によりローカル発振器５から出力された信号と混合されてバンドパスフィルタ７へ出力される。そして、バンドパスフィルタ７によって、ミキサ６の出力信号から不要な周波数成分が除去され、信号レベル測定部１０へ出力される。さらに、切替制御部１６によって、スイッチング素子ＳＷ１がオフされ、電池１１によるＬＮＡ３への電力供給が停止される。
【００４６】
次に、信号レベル測定部１０によって、バンドパスフィルタ７を通過した信号の信号レベルが測定され、その測定値を示す信号に基づいて、ＭＡＨＯが実行され、受信レベルが最大となるとまり木チャネルの基地局が通信相手先として選択される。
【００４７】
これにより、ＭＡＨＯを実行する際には、電池１１によるＬＮＡ３への電力供給が停止されるので、消費電力を低減することができる。また、ＭＡＨＯを実行する際には、増幅器を用いないので、ＬＮＡ３を複数備える必要が無く、ＬＮＡ３を複数備えるためにコストが増大したり、無線通信装置１が大型化したりすることを抑制することができる。
【００４８】
なお、信号レベル測定モードにおいて、基地局の選択が行われる例を示したが、信号レベル測定モードは、受信信号レベルの測定を目的とする動作モードであればよく、例えば受信信号レベルに応じて受信信号の増幅率を変化させるモードであってもよい。
【００４９】
また、無線通信装置１は、ＰＤＣ方式の携帯電話端末装置である例を示したが、他の方式の携帯電話端末装置であってもよく、あるいは携帯電話端末装置以外の無線装置であってもよい。
【００５０】
また、無線通信装置１は、基地局との間で無線通信を行う例を示したが、基地局を用いず、直接他の無線通信装置と通信を行うものであってもよい。
【００５１】
また、電源部は、電池に限らないが、本発明に係る無線通信装置は、消費電流を低減することができるので、電力容量の小さい電池を電源部として用いた場合に好適である。
【図面の簡単な説明】
【００５２】
【図１】本発明の一実施形態に係る無線通信装置の構成の一例を示すブロック図である。
【図２】図１に示す無線通信装置と、その周辺に存在する複数の基地局とを示す説明図である。
【符号の説明】
【００５３】
１  無線通信装置
２  アンテナ
３  ＬＮＡ
４  経路切替部
５  ローカル発振器
６  ミキサ
７  バンドパスフィルタ
８  リミッタアンプ
９  復調部
１０  信号レベル測定部
１１  電池
１２  制御部
１３  通信処理部
１４  モード切替部
１５  基地局選択部
１６  切替制御部
４１  スイッチング素子
４２  スイッチング素子
ＳＷ１  スイッチング素子
【図１】
2007201902.tif 000003
【図２】
2007201902.tif 000004